(57)【要約】【課題】折り畳み状態とするのに動力源を必要とせず、緊急時に簡単な操作で折り畳むことができる観覧席を提供する。【解決手段】地上に山形状に構築して使用状態とし、この使用状態から地上に折り畳んで直線状の収納状態とする第一スタンドＡ及び第二スタンドＢと、この第一スタンドＡ及び第二スタンドＢを地上に構築した使用状態において支える傾倒自在な複数の支持脚２１と、第一スタンドＡ及び第二スタンドＢが連結され、地上に回動自在に設けられた複数のリンク１であって、このリンクの直立姿勢によって山形状の使用状態を構築し、このリンク１の外方への傾き姿勢によって直線状の収納状態に降下させるリンク１と、複数の支持脚２１を倒した状態においてこの第一スタンドＡ及び第二スタンドＢを直線状の収納状態まで、自重で徐々に降下させる伸縮自在なダンパ手段７とからなる。【選択図】        図２
2004324298.tif 000002
【特許請求の範囲】
【請求項１】
地上に山形状に構築して使用状態とし、この使用状態から地上に折り畳んで直線状の収納状態とする第一、第二スタンドと、
前記第一、第二スタンドに着脱自在に連結され、前記第一、第二スタンドを地上に構築した使用状態において支える傾倒自在な複数の支持脚と、
前記第一、第二スタンドが連結され、地上に回動自在に設けられた複数のリンクであって、このリンクの直立姿勢によって山形状の使用状態を構築し、前記リンクの外方への傾き姿勢によって直線状の収納状態に降下させるリンクと、
複数の支持脚を倒した状態において前記第一、第二スタンドを直線状の収納状態まで、自重で徐々に降下させる伸縮自在なダンパ手段と、
からなることを特徴とする観覧席。
【請求項２】
前記ダンパ手段は、前記リンクと地上との間に連結され、収縮動作によって前記リンクを直立姿勢として前記第一、第二スタンドを山形状の使用状態に維持し、伸長動作によって前記リンクを傾き姿勢として前記第一、第二スタンドを地上に折り畳んで収納状態とすることを特徴とする請求項１記載の観覧席。
【請求項３】
前記ダンパ手段は、ロッド側室とシリンダ側室との間で液体を循環させるロッド式シリンダであって、前記ロッド側室または前記シリンダ側室の一方に至る管路を絞る逆止弁付の絞り弁が設けられたものであることを特徴とする請求項１又は２記載の観覧席。
【請求項４】
前記ダンパ手段は、ロッド側室とシリンダ側室との間で液体を循環させるロッド式シリンダであって、前記ロッド側室または前記シリンダ側室の一方に至る管路を開閉する開閉弁が設けられたものであることを特徴とする請求項１又は２記載の観覧席。
【発明の詳細な説明】
【０００１】
【発明の属する技術分野】
本発明は、公園施設などに設置される折り畳み収納可能な観覧席の技術に関する。
【０００２】
【従来の技術】
競技場又は多目的イベントホールでは、催し物に合わせて、椅子を階段状に形成する起立状態と、平面状に折り畳んだ収納状態とに切り替えることができる起伏式の観覧席が用いられる。このような観覧席として、下記の特許文献１乃至特許文献３に開示するものが知られている。
【０００３】
これら特許文献に記載の観覧席においては、起立状態と収納状態との切り替えは、電動ジャッキ、油圧シリンダ等の昇降作動装置を用い、観覧席を上下などに可動させることにより行われる。
【０００４】
【特許文献１】
特公平６−４３７６１号公報
【特許文献２】
実公平４−３１９５１号公報
【特許文献３】
実開平２−１１５８５５号公報
【０００５】
【発明が解決しようとする課題】
河川敷の公園施設に設置される観覧席は、洪水時に流木等の浮遊物が溜まると、観覧席自体が河川氾濫の原因となることから、洪水等の緊急時には地上に折り畳むことが求められる。
しかし、上記従来技術では、折り畳み状態とするのに、油圧源、電源などの動力源を確保する必要があり、しかも装置全体も大型かつ複雑であるため、河川敷の公園施設などに設置する観覧席としては適用しづらいという不具合があった。
【０００６】
本発明は、折り畳み状態とするのに動力源を必要とせず、緊急時に簡単な操作で折り畳むことができる観覧席を提供することを目的とする。
【０００７】
【課題を解決するための手段】
本発明の解決しようとする課題は以上の如くであり、次にこの課題を解決するための手段を説明する。
即ち、請求項１においては、本発明の観覧席が、地上に山形状に構築して使用状態とし、この使用状態から地上に折り畳んで直線状の収納状態とする第一、第二スタンドと、前記第一、第二スタンドに着脱自在に連結され、前記第一、第二スタンドを地上に構築した使用状態において支える傾倒自在な複数の支持脚と、前記第一、第二スタンドが連結され、地上に回動自在に設けられた複数のリンクであって、このリンクの直立姿勢によって山形状の使用状態を構築し、前記リンクの外方への傾き姿勢によって直線状の収納状態に降下させるリンクと、複数の支持脚を倒した状態において前記第一、第二スタンドを直線状の収納状態まで、自重で徐々に降下させる伸縮自在なダンパ手段とからなるものである。
【０００８】
この構成によると、緊急時には、前記複数の支持脚の前記第一、第二スタンドへの連結を外し、地上に倒すと、前記第一、第二スタンドに連結されたリンクが外方へ傾き、前記第一、第二スタンドは直線状の収納状態に向かう。この収納状態へ向かう程度は、伸縮自在なダンパ手段により、自重で徐々に下降する。このように、支持脚の連結を外すと、伸縮自在なダンパ手段で、第一、第二スタンドは自重で直線状の収納状態に徐々に降下する。これにより、動力源を一切必要とせず、しかも緊急時に簡単な操作で観覧席を折り畳むことができる。なお、観覧席を山形状に起伏させる場合、重機などを用いて、前記第一、第二スタンドを山形状に引き上げて支持脚を連結することにより行うことができる。
【０００９】
請求項２においては、請求項１記載の観覧席に関して、前記ダンパ手段は、前記リンクと地上との間に連結され、収縮動作によって前記リンクを直立姿勢として前記第一、第二スタンドを山形状の使用状態に維持し、伸長動作によって前記リンクを傾き姿勢として前記第一、第二スタンドを地上に折り畳んで収納状態とするものである。
【００１０】
この構成によると、ダンパ手段が邪魔にならない向きで地上にあるため、折り畳んだ状態がコンパクトになるとともに、地上のダンパ手段に対する操作がし易くなる。
【００１１】
請求項３においては、請求項１又は請求項２の観覧席に関して、前記ダンパ手段は、ロッド側室とシリンダ側室との間で液体を循環させるロッド式シリンダであって、前記ロッド側室または前記シリンダ側室の一方に至る管路を絞る逆止弁付の絞り弁が設けられたものである。
【００１２】
この構成によると、前記ダンパ手段の伸長動作時には、前記管路の絞り弁により、徐々に伸びるようにダンパが作用し、前記ダンパ手段の短縮時には、前記管路の逆止弁により、ダンパが作用せず、短縮自在となる。これにより、第一、第二スタンドを起伏状態とする際に、ダンパ手段が邪魔にならない。また、可変絞り弁の場合、絞りの程度により、観覧席の降下速度を調整できる。
【００１３】
請求項４においては、請求項１又は２の観覧席に関して、前記ダンパ手段は、ロッド側室とシリンダ側室との間で液体を循環させるロッド式シリンダであって、前記ロッド側室または前記シリンダ側室の一方に至る管路を開閉する開閉弁が設けられたものである。
【００１４】
この構成によると、前記開閉弁を閉じると、ダンパ手段のダンパが効かず、前記開閉弁を開くと、ダンパ手段が作動する。そのため、第一、第二スタンドに対する支持脚を外しても、直ぐにダンパが効かず、開閉弁を開くと、ダンパが効いて、第一、第二スタンドが徐々に自重で折り畳まれる。
【００１５】
【発明の実施の形態】
次に、発明の実施の形態を説明する。
図１は本発明の一実施形態である使用時の観覧席の正面図、図２は図１のＩＩ−ＩＩ矢視図、図３は図２の観覧席を収納したときの状態を示す図、図４は図１のＩＶ−ＩＶ拡大矢視図であり、ダンパ手段を概略的に示すものである。
【００１６】
本実施形態の観覧席は、地上に山形状に構築して使用状態とし、この使用状態から地上に折り畳んで直線状の収納状態とする第一スタンドＡ及び第二スタンドＢと、この第一スタンドＡ及び第二スタンドＢを地上に構築した使用状態において支える傾倒自在な複数の支持脚２１と、第一スタンドＡ及び第二スタンドＢが連結され、地上に回動自在に設けられた複数のリンク１であって、このリンクの直立姿勢によって山形状の使用状態を構築し、このリンク１の外方への傾き姿勢によって直線状の収納状態に降下させるリンク１と、複数の支持脚２１を倒した状態においてこの第一スタンドＡ及び第二スタンドＢを直線状の収納状態まで、自重で徐々に降下させる伸縮自在なダンパ手段７とからなる。
【００１７】
第一スタンドＡは、図１に示すように、所要間隔で平行配置した図１では前後方向に延びる一対のフレーム２、２と、このフレーム２、２を連結する左右方向に延びる複数のフレーム５と、図２に示すように、この連結されたフレーム２、２と複数のフレーム５の上に階段状に配置される複数の床台４と、この床台４の角部に沿って配置される複数の椅子３とからなる。
【００１８】
図１に示すように、フレーム２、２はフレーム５を間に挟みこむように連結されていて、複数の床台４を支持及び固定し、スタンドを安定させている。
また、図２に示すように、フレーム２には、支持脚２１の取り付け及び取り外しが可能な軸受部２ａが複数設けられている。
さらに、図２に示すように、リンク１及びダンパ手段７とピン３１を支点として回動可能にピン連結されるとともに、頂上部において、第二スタンドＢのフレーム２と頂上部のピン２３を支点として回動可能にピン連結されている。
【００１９】
フレーム５は、所定間隔で隣り合うフレーム２、２を連結しているものである。フレーム２とともに複数の床台４を支持及び固定し、スタンドを安定させるものである。
【００２０】
床台４は、フレーム２とフレーム５で構成される部位の上に、図１の第一スタンドＡにおいては頂上から手前側に下るように、図２の第一スタンドＡにおいては頂上から左側に下るように、図２の第二スタンドＢにおいては頂上から右側に下るように、階段状に複数配置され、固定されているものである。
【００２１】
椅子３は、図２に示すように、断面がＴ字状のものであり、床台４の角部に沿って配置され、固定されているものである。なお、図には、断面がＴ字状のものを示しているが、これに限られず、断面が四角やＬ字状などのものであってもよい。
【００２２】
第二スタンドＢは、第一スタンドＡと同様の構成である。ただし、図２で示すように、第一スタンドＡと第二スタンドＢはピン２３−支柱２２を軸線として対称位置に配置され、頂上部のピン２３を支点として回動できるようにピン連結されている。
【００２３】
支持脚２１は、図２、図３に示すように、第一スタンドＡ及び第二スタンドＢを地上に山形状に構築した使用状態において支えることができるとともに、傾倒自在な棒状の脚である。
また、この支持脚２１の一端には接続金具２５が設けられている。この接続金具２５は、フレーム２に設けられた軸受部２ａと取り付け及び取り外しが可能なものである。
さらに、支持脚２１の他端には、接続金具２６が設けられている。この接続金具２６と地中に埋設されている土台６の地表側に取り付けられている支柱２２は、ピン２４を支点として回動できるようにピン連結されている。
【００２４】
つまり、図２では、支持脚２１の接続金具２５と軸受部２ａとが連結され、第一スタンドＡ及び第二スタンドＢを山形状に構築している使用状態を示している。図３では、支持脚２１の接続金具２５が軸受部２ａから取り外され、第一スタンドＡ及び第二スタンドＢを直線状に収納している状態を示している。
【００２５】
次に、図４に示すように、リンク１は、一端と他端が半円状のものである。
また、リンク１は、ピン４２を支点として外方へ傾動できるように、地中に埋設された土台６の地表側に取り付けられた支柱１１とピン連結されている。
さらに、リンク１は、ピン４１を支点として傾動できるように、フレーム２及びダンパ４０のロッド４６の一端に設けられている接続金具４７を挟みこむようにピン連結されている。
【００２６】
Ｌアングルストッパー１０は、観覧席の使用状態におけるリンク１の直立姿勢を安定させるために、リンク１上方部が傾動する方向とは逆側に支柱１１に取り付けられている。
【００２７】
次に、図４に示すように、ダンパ手段７は、一端に接続部位４４が設けられている伸縮自在なロッド式シリンダ４０と、このロッド式シリンダ４０内のロッド側室５３とシリンダ側室５４とを結ぶ液体が循環するための循環システム５６とからなる。
【００２８】
ロッド式シリンダ４０は、筒状のシリンダ４５と、このシリンダ４５内部に配置されていて、一端に設けられている接続金具４７が設けられているロッド４６と、このロッド４６の他端に設けられているピストン５５とからなる。
【００２９】
シリンダ４５は、内部に、ピストン５５によって仕切られて形成されるロッド側室５３とシリンダ側室５４を有する。
上記ロッド側室５３とシリンダ側室５４は、油などの液体で満たされている。
【００３０】
ロッド４６は、シリンダ４５と同軸方向に往復動自在である。
ロッド４６の一端には、シリンダ４５内部の油などの液体に圧力を伝えるためのピストン５５を有している。
他端には、ピン４１を支点として傾動できるように、フレーム２及びリンク１とピン連結された接続金具４７を有している。
【００３１】
また、ロッド式シリンダ４０に設けられた接続部位４４は、ピン４３を支点として回動できるように、地中に埋設されている土台６の地表側に取り付けられている支柱１２とピン連結されている。
【００３２】
循環路５６は、液体が循環する管路４８と、ロッド側室５３またはシリンダ側室５４に至る管路４８を開閉する開閉弁４９ａと、ロッド側室５３またはシリンダ側室５４に至る管路４８を開閉する開閉弁４９ｂと、ロッド側室５３またはシリンダ側室５４に至る管路４８を絞る可変絞り弁５０と、油などの液体の逆流（図４では、ロッド側室５３からシリンダ側室５４へ流れる方向）を防止する逆止弁５１と、油などの液体を補充するタンク５２とからなる。この可変絞り弁５０と逆止弁５１とが、逆止弁付きの絞り弁を構成する。
【００３３】
管路４８は、液体が流通するための流路である。
開閉弁４９ａ、４９ｂはいわゆる仕切り弁であり、液体の流通、不流通に切り替えるものである。
可変絞り弁５０は、液体の流通量を調節できる弁である。
逆止弁５１は、一方向にしか液体が流れない弁であり、逆流を防ぐのに使用される。
【００３４】
これらリンク１とダンパ手段７などの構成は、図２における第一スタンドＡの左端下部と第二スタンドＢの右端下部に同様に設置されるものである。
【００３５】
上記ロッド式シリンダ４０、循環路５６とリンク１は、以下のような動作をする関係である。
すなわち、図４に示すように、リンク１が直立姿勢であるときは、シリンダ４５内においてロッド４６がピストン５５とともに、このリンク１の直立姿勢を保つように短縮されている状態である。
また、ロッド側室５３とシリンダ側室５４は油などの液体で満たされている。開閉弁４９ａ、４９ｂと可変絞り弁５０が閉じられているときは、油などの液体の循環がなされていないロック状態である。
したがって、上記の状態では、ロッド側室５３とシリンダ側室５４との間で、液体の循環はなされないので、このままロッド式シリンダ４０は動かない。
【００３６】
次に、図５に示すようにリンク１及びロッド式シリンダ４０を含むダンパ手段７を傾動させるには、以下の動作が必要である。
すなわち、まず、図４の状態のときに、可変絞り弁５０と開閉弁４９ａ、４９ｂが閉められていることを確認する。そして、後述するように支持脚２１を外してから、次に、開閉弁４９ａ、４９ｂを開ける。
このとき、図４のリンク１の上方部で左方向に力が加わっている状態であれば、接続金具４７がロッド４６とともに左方向（伸長方向）へ移動しようとするので、ロッド側室５３からシリンダ側室５４へと流体が流れる。このとき、可変絞り弁５０によりダンパが作動する。このダンパの程度は、可変絞り５０の絞りの程度を調整することにより変更可能である。
つまり、ロッド４６は、シリンダ４５外部へと軸方向（伸長方向）に移動しながら、ダンパ作用を効かしながらロッド式シリンダ４０とともに左（外方）に傾動することになる。そして、最終的には図５で示すような状態となる。
【００３７】
図２の観覧席の使用状態から図３の収納状態までを説明する。
まず図２の状態において、開閉弁４９ａ、４９ｂと可変絞り弁５０が閉じられているのを確認する。
次に、すべての支持脚２１をフレーム２の軸受部２ａから取り外し、回動させて地上に倒す（図６の状態）。
そして、上記リンク１及びロッド式シリンダ４０の傾動の方法を行って、リンク１及びロッド式シリンダ４０を含むダンパ手段７を徐々に外方へ傾動させる（図７の状態）。このとき、第一スタンドＡ及び第二スタンドＢの降下速度は、可変絞り５０で油などの液体の流通量を調節することで、制御できる。
その後、最終的には図３の収納状態になる。
【００３８】
なお、再び第一、第二スタンドＡ，Ｂを使用状態とするときは、クレーン車等の重機を使用し、第一、第二スタンドＡ，Ｂを引き上げ、山形状にした後、支持脚２１を持ち上げ、支持脚２１と第一、第二スタンドＡ，Ｂとを連結する。このとき、ロッド式シリンダ４０の開閉弁４９ａ，４９ｂは開いた状態にしておく。ロッド式シリンダ４０の逆止弁５１を流体が通過するため、ロッド式シリンダ４０はスムースに短縮状態となる。そして、支持脚２１を第一、第二スタンドＡ，Ｂに連結した後、ロッド式シリンダ４０の開閉弁４９ａ，４９ｂを閉じて、ロッド式シリンダ４０のダンパ作動が効かないようにロックすると、リンク１は直立状態を維持し、第一、第二スタンドＡ，Ｂの山形状態が固定される。
【００３９】
上記実施形態により、動力源を一切必要とせず、簡単な構成で、しかも緊急時に安全に観覧席を折り畳むことができる。
さらに、ロッド式シリンダ４０を用いたダンパ手段７により、観覧席が地上に山形状に構築されている使用状態と、地上に直線状に折り畳まれた収納状態とを確実に維持することができ、より安全性を高くできる。
また、可変絞り弁５０により、観覧席の降下速度を調整できるので、より安全に観覧席を折り畳むことができる。
【００４０】
なお、上記実施形態において、以下のように変更して使用する事が出来る。
ダンパ手段はリンクと地上の間に設けられるものに限らず、第一スタンドと第二スタンドとの間に設けることもできる。
【００４１】
次に、上記実施形態の観覧席に対する他の使用状態を説明する。
図８は組替え前の観覧席を示す図、図９及び図１０は観覧席の組替えの途中を示す図、図１１は組替え完成図である。
【００４２】
この観覧席は、上記実施形態と構成物はほぼ同様であるが、図８に示すように、観覧席の第一スタンドＡと第二スタンドＢを同方向に向けて、さらに、地上に略直角三角状に構築して使用状態とする。これにより、より大きな観覧席へと組み替えることができる。これを図８から図１１を用いて、組替え方を示しながら説明する。
【００４３】
図９に示す観覧席は、図２の使用状態を示す観覧席のフレーム２に軸受部２ａａをさらに設けたものである。
この軸受部２ａａは、機能は軸受部２ａと同様、支持脚２１を取り付けることができる。
【００４４】
図１０に示すように、まず、第二スタンドＢ下部の支持脚２１を取り外し、リンク１とダンパ手段７も取り外す。なお、このとき、第二スタンドＢはクレーンなどで吊るされている。
また、頂上部のピン２３においてピン連結されている第二スタンドＢを第一スタンドＡから取り外す。
次に、第二スタンドＢをクレーンなどで吊ったまま、逆向き（第一スタンドＡと同観覧方向）に変えて、再びピン２３によって第一スタンドＡと第二スタンドＢをピン連結する。
【００４５】
次に、図１１に示すように、図１０における第二スタンドＢ下部のリンク１に換えて第二スタンドＢを支持するためのリンク１ｂを、ピン３２で支柱１１にピン連結する。
また、第二スタンドＢのフレーム２が第一スタンドＡのフレーム２の長手方向の延長線上にくるようにクレーンやジャッキなどで持ち上げる。
そして、ピン３１でリンク１ｂと第二スタンドＢをピン連結し、第二スタンドＢを支持する。
【００４６】
次に、図８に示すように、それぞれの支持脚２１の接続金具２５を軸受部２ａ、２ａａに取り付ける。また、それぞれの支持脚２１の接続金具２６をピン２４で支柱１２、２２にピン連結して、図８に示す変形例の観覧席の使用状態は完成する。
【００４７】
したがって、この観覧席によれば、略直角三角形状にも観覧席を構築することができるので、観覧者が多い場合にも対応できる。
【００４８】
【発明の効果】
本発明は、以上のように構成したので、以下に示すような効果を奏する。
即ち、動力源を必要とせず、簡単な構成で、しかも緊急時に観覧席を折り畳むことができる。また、観覧席の降下が自重で行われるので、安全に観覧席を折り畳むことができる。
【図面の簡単な説明】
【図１】本発明の一実施形態である使用時の観覧席の正面図。
【図２】図１のＩＩ−ＩＩ矢視図。
【図３】図２の観覧席を収納したときの状態を示す図。
【図４】図１のＩＶ−ＩＶ拡大矢視図。
【図５】リンク１及びロッド式シリンダ４０を含むダンパ手段７を傾動させたときを示す図。
【図６】図２の観覧席の支持脚を折り畳んだときを示す図。
【図７】図６の観覧席の降下途中を示す図。
【図８】図２における観覧席の他の組み替え状態を示す図。
【図９】図８の組替え前を示す図。
【図１０】図２における観覧席を組替える途中であって、第二スタンドＢの向きを変えたときを示す図。
【図１１】図２における観覧席を組替える途中であって、略直角三角形に構築した観覧席を示す図。
【符号の説明】
１  リンク
２、５  フレーム
２ａ、２ａａ  軸受部
３  椅子
４  床台
６  土台
７  ダンパ手段
１０  Ｌアングルストッパー
１１、１２、２２  支柱
２３、２４、３１、３２、３３、４１、４２、４３  ピン
４０  ロッド式シリンダ
４５  シリンダ
４６  ロッド
４７  接続金具
４８  管路
４９ａ、４９ｂ  開閉弁
５０  可変絞り
５１  逆止弁
５２  タンク
５３  ロッド側室
５４  シリンダ側室
５５  仕切り板
５６  循環システム
【図１】
2004324298.tif 000003
【図２】
2004324298.tif 000004
【図３】
2004324298.tif 000005
【図４】
2004324298.tif 000006
【図５】
2004324298.tif 000007
【図６】
2004324298.tif 000008
【図７】
2004324298.tif 000009
【図８】
2004324298.tif 000010
【図９】
2004324298.tif 000011
【図１０】
2004324298.tif 000012
【図１１】
2004324298.tif 000013